(57)【要約】【課題】蓋の開け閉めを容易にする簡易貴重品保管ボックスを得る。【解決手段】簡易貴重品保管ボックス１は、長手方向長さの約半分にわたり開放した頂部開口１１を設けた頂壁１３を有して引出し内部に固定可能な収納本体１０と、頂壁にオーバーラップし、レール溝１２に沿って摺動可能なスライドカバー２０と、スライドカバーにより頂部開口を閉鎖するとき、自動的に閉鎖状態に施錠する施錠手段とを備える。この施錠手段を、スライドカバーを開放状態に向けて押圧偏倚するバイアス手段３２と、スライドカバーの先端に設けた係止フック２４と、ばね負荷によって係止フックの進路を遮る初期位置に向かって突出する閂バー部材３１であって、スライドカバーに対向する側に傾斜もしくは湾曲したカム面、反対側に係止面を有する閂バー部材３１と、閂バー部材のばね負荷に抗してこの閂バー部材３１を引っ込ませる解錠手段３０とにより構成する。【選択図】図１
0003124703.tif 000002
【実用新案登録請求の範囲】
【請求項１】
書類、通帳、現金等の貴重品を収納保管する簡易貴重品保管ボックスにおいて、
四方の側壁および底壁、並びに長手方向長さの約半分にわたり開放した頂部開口を設けた頂壁を有して前記頂部開口から内部空間に貴重品を収納でき、引出し内部に固定可能な収納本体と、
この収納本体の前記頂部開口を閉鎖するよう前記頂壁にオーバーラップし、長手方向側壁に設けたレール溝に沿って摺動可能なスライドカバーと、
前記スライドカバーにより前記頂部開口を閉鎖するとき、自動的に前記スライドカバーを閉鎖状態に施錠する施錠手段と
を備え、前記施錠手段を、
前記スライドカバーに所定の力を加えない限りこのスライドカバーを開放状態に向けて押圧偏倚するバイアス手段と、
前記レール溝内でスライドカバーとともに移動するよう前記スライドカバーの先端に設けた係止フックと、
前記収納本体側に設け、ばね負荷によって前記係止フックの進路を遮る初期位置に向かって突出する閂バー部材であって、前記スライドカバーに対向する側に傾斜もしくは湾曲したカム面、反対側に係止面を有する該閂バー部材と、
前記閂バー部材のばね負荷に抗してこの閂バー部材を引っ込ませる解錠手段と
により構成し、
前記バイアス手段のバイアス力に抗してスライドカバーを閉鎖状態に向けて押圧するとき、前記スライドカバーの先端に設けた係止フックが、前記閂バー部材のカム面に作用してこの閂バー部材を係止フックの進路から後退させ、このカム面を通過した後、前記閂バー部材が再び初期位置に突出し、前記閂バー部材の係止面に係止フックが掛合して自動的に施錠し、
前記解錠手段により閂バー部材を引っ込ませるとき、前記バイアス手段により前記スライドカバーを自動的に開放する方向に押圧する構成とした
ことを特徴とする簡易貴重品保管ボックス。
【請求項２】
前記バイアス手段として、前記スライドカバーの閉鎖移動方向に対向する前記収納本体の側壁に設けたばね負荷押圧手段と、前記スライドカバーに設けたばね負荷受け止め部とにより構成したばねバイアス手段を設けた請求項１記載の簡易貴重品保管ボックス。
【請求項３】
前記バイアス手段として、前記スライドカバーの閉鎖移動方向に対向する前記収納本体の側壁に取り付け、Ｎ極およびＳ極のうち一方の磁極面が露呈する第１永久磁石と、この第１永久磁石に対向する位置で前記スライドカバーに取り付け、他方の磁極面が露呈する第２永久磁石とにより構成した磁気反発バイアス手段を設けた請求項１または２記載の簡易貴重品保管ボックス。
【請求項４】
前記係止フックは、前記スライドカバーに取り付けたアームの先端で内方に曲げたフック端部に、前記閂バー部材の湾曲したカム面に掛合しつつ転動するローラを設けたものとして構成した請求項１〜３のうちのいずれか一項に記載の簡易貴重品保管ボックス。
【請求項５】
前記閂バー部材の係止面には、解錠時に前記係止フックのローラを開放状態に移動し易くする傾斜隆起部を設けた請求項４記載の簡易貴重品保管ボックス。
【請求項６】
前記係止フックのフック端部をほぼ直角に内方に曲げた請求項１〜５記載の簡易貴重品保管ボックス。
【請求項７】
前記解錠手段を、電子キーもしくはマグネットキーと、この電子キーもしくはマグネットキーに応答するモータギヤドライブ機構もしくはモータカム‐ばね負荷追従子機構、またはソレノイド機構とにより構成した請求項１〜６のうちのいずれか一項に記載の簡易貴重品保管ボックス。
【考案の詳細な説明】
【技術分野】
【０００１】
本考案は、書類、通帳、現金等の貴重品を収納保管する簡易貴重品保管ボックス、いわゆるセーフティボックスに関する。
【背景技術】
【０００２】
従来このようなセーフティボックスは、貴重品をボックス内に収納した後、ヒンジによる蓋を閉じて施錠機構によって施錠し、また、キーにより施錠機構を解錠し、蓋を開けて貴重品を出し入れするのが一般的であった。
【考案の開示】
【考案が解決しようとする課題】
【０００３】
本考案の目的は、蓋の開け閉めを容易にする簡易貴重品保管ボックスを得るにある。
【課題を解決するための手段】
【０００４】
この目的を達成するため、本考案簡易貴重品保管ボックスは、
四方の側壁および底壁、並びに長手方向長さの約半分にわたり開放した頂部開口を設けた頂壁を有して前記頂部開口から内部空間に貴重品を収納でき、引出し内部に固定可能な収納本体と、
この収納本体の前記頂部開口を閉鎖するよう前記頂壁にオーバーラップし、長手方向側壁に設けたレール溝に沿って摺動可能なスライドカバーと、
前記スライドカバーにより前記頂部開口を閉鎖するとき、自動的に前記スライドカバーを閉鎖状態に施錠する施錠手段と
を備え、前記施錠手段を、
前記スライドカバーに所定の力を加えない限りこのスライドカバーを開放状態に向けて押圧偏倚するバイアス手段と、
前記レール溝内でスライドカバーとともに移動するよう前記スライドカバーの先端に設けた係止フックと、
前記収納本体側に設け、ばね負荷によって前記係止フックの進路を遮る初期位置に向かって突出する閂バー部材であって、前記スライドカバーに対向する側に傾斜もしくは湾曲したカム面、反対側に係止面を有する該閂バー部材と、
前記閂バー部材のばね負荷に抗してこの閂バー部材を引っ込ませる解錠手段と
により構成し、
前記バイアス手段のバイアス力に抗してスライドカバーを閉鎖状態に向けて押圧するとき、前記スライドカバーの先端に設けた係止フックが、前記閂バー部材のカム面に作用してこの閂バー部材を係止フックの進路から後退させ、このカム面を通過した後、前記閂バー部材が再び初期位置に突出し、前記閂バー部材の係止面に係止フックが掛合して自動的に施錠し、
前記解錠手段により閂バー部材を引っ込ませるとき、前記バイアス手段により前記スライドカバーを自動的に開放する方向に押圧する構成とした
ことを特徴とする。
【考案の効果】
【０００５】
本考案によれば、バイアス手段のバイアス力に抗してスライドカバーを閉鎖状態に向けて押圧するとき、前記スライドカバーの先端に設けた係止フックが、前記閂バー部材のカム面に作用してこの閂バー部材を係止フックの進路から後退させ、このカム面を通過した後、前記閂バー部材が再び初期位置に突出し、前記閂バー部材の係止面に係止フックが掛合して自動的に施錠し、解錠手段により閂バー部材を引っ込ませるとき、前記バイアス手段により前記スライドカバーを自動的に開放する方向に押圧する構成としたため、施錠および解錠が容易となる。
【考案を実施するための最良の形態】
【０００６】
本発明の好適な実施例においては、バイアス手段として、スライドカバーの閉鎖移動方向に対向する収納本体の側壁に設けたばね負荷押圧手段と、前記スライドカバーに設けたばね負荷受け止め部とにより構成したばねバイアス手段を設ける。
【０００７】
さらに、好適には、バイアス手段として、スライドカバーの閉鎖移動方向に対向する収納本体の側壁に取り付け、Ｎ極およびＳ極のうち一方の磁極面が露呈する第１永久磁石と、この第１永久磁石に対向する位置でスライドカバーに取り付け、他方の磁極面が露呈する第２永久磁石とにより構成した磁気反発バイアス手段を設ける。
【０００８】
本発明の好適な実施例においては、係止フックは、スライドカバーに取り付けたアームの先端で内方に曲げたフック端部に、閂バー部材の湾曲したカム面に掛合しつつ転動するローラを設けたものとして構成する。
【０００９】
好適には、閂バー部材の係止面には、解錠時に前記係止フックのローラを開放状態に移動し易くする傾斜隆起部を設ける。
【００１０】
さらに好適には、係止フックのフック端部をほぼ直角に内方に曲げる。
【００１１】
本発明の好適な実施例においては、解錠手段を、電子キーもしくはマグネットキーと、この電子キーもしくはマグネットキーに応答するモータギヤドライブ機構もしくはモータカム‐ばね負荷追従子機構、またはソレノイド機構とにより構成する。
【００１２】
次に、図面につき、本考案の好適な実施例を詳細に説明する。
【実施例１】
【００１３】
本考案簡易貴重品保管ボックス１は、図１、図３および図４に示すように、四方の側壁および底壁、並びに長手方向長さの約半分にわたり開放した頂部開口１１を設けた頂壁１３を有して頂部開口１１から内部空間に貴重品を収納でき、引出し内部に固定可能な収納本体１０を有する。
【００１４】
また、本考案簡易貴重品保管ボックス１には、収納本体１０の頂部開口１１を閉鎖するよう頂壁１３にオーバーラップし、長手方向側壁に設けたレール溝１２に沿って摺動可能なスライドカバー２０を設ける。このスライドカバー２０には、レール溝１２に沿って転動するローラ２１を設けると開閉がスムーズになり、好適である。
【００１５】
さらまた、本考案簡易貴重品保管ボックス１には、スライドカバー２０によって頂部開口１１を閉鎖するとき、自動的にスライドカバー２０を閉鎖状態に施錠する施錠手段３０を設ける。この施錠手段３０は、収納本体１０の一部のコンパートメントハウジングとして設けると組立が簡単となる。
【００１６】
本考案簡易貴重品保管ボックス１においては、施錠手段３０として、スライドカバー２０に所定の力を加えない限りこのスライドカバー２０を開放状態に向けて押圧偏倚するバイアス手段を設ける。図示の実施例では、このバイアス手段として、施錠手段３０のコンパートメントハウジングの端面に固定する左右１対のコイルばね３２によるばねバイアス手段を設ける。これらコイルばね３２に対し、一方ではスライドカバー２０に設けたばね当接部２５、他方では、以下に説明する係止フックの端部が当接し、スライドカバー２０を開放状態に向けて押圧偏倚する。
【００１７】
このばねバイアス手段の代案として、図示しないが、施錠手段３０の隔壁面に進退可能に突設した少なくとも１個のばね負荷ピンと、スライドカバー２０に設けたこのばね負荷ピンに当接するフランジ１４を設けることもできる。
【００１８】
さらにまた、バイアス手段として、スライドカバー２０の閉鎖移動方向に対向する収納本体の一部をなす施錠手段３０のコンパートメントハウジングの隔壁に取り付け、Ｎ極およびＳ極のうち一方の磁極面が露呈する第１永久磁石３３と、この第１永久磁石３３に対向する位置でスライドカバー２０のフランジ１４に取り付け、他方の磁極面が露呈する第２永久磁石２６とにより構成した磁気反発バイアス手段を設けることができる。
【００１９】
さらに、本考案簡易貴重品保管ボックス１における施錠手段３０として、レール溝１２内でスライドカバー２０とともに移動するようこのスライドカバーの先端に設けた係止フック２４と、収納本体の一部である施錠手段３０のコンパートメントハウジング内に設け、ばね負荷により係止フック２４の進路を遮る初期位置に向かって突出する閂バー部材３１と、閂バー部材３１のばね負荷に抗してこの閂バー部材を引っ込ませる解錠手段とを設ける。
【００２０】
係止フック２４は、スライドカバー２０に取り付けたアーム２２の先端で内方に曲げたフック端部２３に、閂バー部材３１の湾曲したカム面に掛合しつつ転動するローラ２４として構成する。さらに、好適には、図示しないが、係止フックのローラ２４を設けるフック端部２３をほぼ直角に内方に曲げる。
【００２１】
閂バー部材３１は、スライドカバー２０に対向する側に傾斜したもしくは湾曲したカム面１５、反対側に係止面１６を有する。好適には、閂バー部材の係止面には、解錠時に係止フックのローラを開放状態に移動し易くする傾斜隆起部３４を設ける。
【００２２】
図示の実施例では、解錠手段を、電子キーもしくはマグネットキーと、この電子キーもしくはマグネットキーに応答するモータギヤドライブ機構もしくはモータカム‐ばね負荷追従子機構、またはソレノイド機構とにより構成する。解錠手段３０のコンパートメントハウジングの頂面におけるキー当接面３５に、図示しない電子キーもしくはマグネットキーを当接することに応答して、モータギヤドライブ機構もしくはモータカム‐ばね負荷追従子機構、またはソレノイド機構が作動し、閂バー部材３１を引っ込ませる。
【００２３】
本考案簡易貴重品保管ボックス１によれば、図２に示すように、バイアス手段（コイルばね３２及び／又は磁気反発バイアス手段２６，３３のバイアス力に抗してスライドカバー２０を閉鎖状態に向けて押圧するとき、スライドカバーの先端に設けた係止フック（ローラ）２４が、閂バー部材３１のカム面に作用してこの閂バー部材３１を係止フック（ローラ）２４の進路から後退させ、このカム面を通過した後、閂バー部材３１が再び初期位置に突出し、閂バー部材の係止面（または傾斜隆起部３４）に係止フック（ローラ）２４が掛合して自動的に施錠し、解錠手段により閂バー部材３１を引っ込ませるとき、バイアス手段によりスライドカバー２０を自動的に開放する方向に押圧する。したがって、本考案簡易貴重品保管ボックスによれば、スライドカバー２０の開閉が極めて容易になる。
【産業上の利用可能性】
【００２４】
本考案簡易貴重品保管ボックスは、ホテル、ペンション、ゴルフ場、スポーツクラブにおける貴重品預かりのフロント、もしくは銀行、信用金庫等におけるプライベート保管設備に利用できる。
【図面の簡単な説明】
【００２５】
【図１】本考案簡易貴重品保管ボックスの実施例における分解斜視図である。
【図２】本考案簡易貴重品保管ボックスの実施例における施錠前、および施錠後の状態を示す説明図である。
【図３】本考案簡易貴重品保管ボックスの収納本体とスライドカバーとを示す分解斜視図である。
【図４】本考案簡易貴重品保管ボックスの実施例における他の分解斜視図である。
【図５】本考案簡易貴重品保管ボックスの実施例における閂バー部材の係止面側から見た部分斜視図である。
【符号の説明】
【００２６】
１  簡易貴重品保管ボックス
１０  収納本体
１１  頂部開口
１２  レール溝
１３  頂壁
１４  フランジ
１５  カム面
１６  係止面
２０  スライドカバー
２１  ローラ
２２  アーム
２３  フック端部
２４  係止フック（ローラ）
２５  ばね当接部
２６  磁気反発バイアス手段（第２永久磁石）
３０  解錠手段
３１  閂バー部材
３２  コイルばね
３３  磁気反発バイアス手段（第１永久磁石）
３４  傾斜隆起部
３５  キー当接面
【図１】
0003124703.tif 000003
【図２】
0003124703.tif 000004
【図３】
0003124703.tif 000005
【図４】
0003124703.tif 000006
【図５】
0003124703.tif 000007